(57)【要約】      （修正有）【課題】特別な部品や工具を必要とせずに簡単に装着でき、軽く安全性に優れると共に傷付き難い、車椅子用テーブルを提供する。【解決手段】車椅子の使用者の前面に半円状の切欠部３を設けた本体部２と左右のアームレストに架設して車椅子に設置される肘置き部４とを一体形成したテーブル１において当該テーブルの外周面に保護ベルト８を周設し、更に該テーブルの肘置き部の下面において左右のアームレストとそれぞれ対向する部位に当該テーブルとアームレストとを装着バンドにて装着するための保持具１２を少なくとも左右１対に埋設して構成する。前記テーブルは、発泡合成樹脂板の上面と下面の両面に硬質樹脂製の保護板を接着して構成する。前記保持具は、長方体状の筐体内において上面左右の開口部より装着バンドを出し入れし易くするための円弧状のスライド面を形成し、前記左右の開口部の中央には前記装着バンドを保持するための保持軸を形成して構成する。【選択図】図２
0003216373.tif 000002
【実用新案登録請求の範囲】
【請求項１】
車椅子の使用者の前面に半円状の切欠部を設けた本体部と左右のアームレストに架設して車椅子に設置される肘置き部とを一体形成したテーブルにおいて当該テーブルの外周面に保護ベルトを周設し、更に該テーブルの肘置き部の下面において左右のアームレストとそれぞれ対向する部位に当該テーブルとアームレストとを装着バンドにて装着するための保持具を少なくとも左右１対に埋設して構成することを特徴とする、車椅子用テーブル。
【請求項２】
上記テーブルは、発泡合成樹脂板の上面と下面の両面に硬質樹脂製の保護板を接着して構成することを特徴とする、請求項１に記載の車椅子用テーブル。
【請求項３】
上記保持具は、長方体状の筐体内において上面左右の開口部より装着バンドを出し入れし易くするための円弧状のスライド面を形成し、前記左右の開口部の中央には前記装着バンドを保持するための保持軸を形成して構成することを特徴とする、請求項１及び請求項２に記載の車椅子用テーブル。
【考案の詳細な説明】
【技術分野】
【０００１】  本考案は、車椅子に載置して飲食などを行うための車椅子用テーブルに関するものである。
【背景技術】
【０００２】  病院を始め社会福祉施設等において各種福祉機器が使用されており、中でも車椅子は一般的に広く利用されている。該車椅子の使用者が座ったまま飲食などを行う際には、車椅子のアームレストの上に車椅子専用のテーブルを載置して利用している。【０００３】  上記車椅子用テーブルは各種形状や構造及び素材のものが既に市販されており、特許文献においても多数出願されている。例えば特許文献１の特許登録第５８１２８２２号においては、「予め車椅子に部品等を取付けなくても簡単に、且つしっかりと装着することができる車椅子用テーブルを提供することを目的とする。」とした車椅子用テーブルについて記載され、特許文献２の特開２０１４−１５１０４７号においては、「様々なアームレストの間隔の車椅子に対して、予め部品等を取付けなくても簡単に、且つしっかりと装着することができる車椅子用テーブルを提供することを目的とする。」とした車椅子用テーブルについて記載されている。
【先行技術文献】
【特許文献】
【０００４】
【特許文献１】特許登録第５８１２８２２号
【特許文献２】特開２０１４−１５１０４７号
【考案の概要】
【考案が解決しようとする課題】
【０００５】  上記各特許文献に記載の車椅子用テーブルは、使用者の前面に半円状の切欠部を設けると共に左右のアームレストに架設して車椅子に設置される肘置き部を設けた車椅子用テーブルであり、テーブル本体の下面には左右のアームレストにそれぞれ係合する長尺状の係合レールを備え、特許文献１にあってはテーブル本体の下面に前記係合レールと対向する部位にボルト螺合穴を複数設け、特許文献２にあってはテーブル本体の下面に前記係合レールと対向する部位にスリットを設け、前記係合レール及び当該係合レールと積層する側面ガイドに貫通させたボルト貫通穴に取付けボルトを通し、特許文献１にあっては前記取付けボルトをボルト螺合穴と螺合し、特許文献２にあっては前記取付けボルトをスリットに通して取付けナットと螺合し、係合レールに設けられた下面ガイドと側面ガイドをアームレストに係合して装着するものある。【０００６】  しかしながら、上記各特許文献に記載の車椅子用テーブルは、予め車椅子に部品等を取付ける必要がないものの、車椅子用テーブルをアームレストに装着するための係合レールと側面ガイド及び取付けボルトなどの複数の部品が必要であり、更に前記取付けボルトを締着するための工具も必要であり、簡単に装着できるというものではなかった。また、材質として木材が使用できるとあるが、木材は重く安全性に問題があり、更には傷付き易いという欠点があった。【０００７】  本考案は、上記の問題点や欠点を解決するために成されたものであり、車椅子用テーブルをアームレストに装着する際において、特別な部品や工具を必要とせずに簡単に装着でき、軽く安全性に優れると共に傷付き難い、車椅子用テーブルを提供することを目的とする。
【課題を解決するための手段】
【０００８】  上記課題を解決するため本考案の車椅子用テーブルは、車椅子の使用者の前面に半円状の切欠部を設けた本体部と左右のアームレストに架設して車椅子に設置される肘置き部とを一体形成したテーブルにおいて当該テーブルの外周面に保護ベルトを周設し、更に該テーブルの肘置き部の下面において左右のアームレストとそれぞれ対向する部位に当該テーブルとアームレストとを装着バンドにて装着するための保持具を少なくとも左右１対に埋設して構成する。【０００９】  上記テーブルは、発泡合成樹脂板の上面と下面の両面に硬質樹脂製の保護板を接着して構成する。【００１０】  上記保持具は、長方体状の筐体内において上面左右の開口部より装着バンドを出し入れし易くするための円弧状のスライド面を形成し、前記左右の開口部の中央には前記装着バンドを保持するための保持軸を形成して構成する。
【考案の効果】
【００１１】  本考案の車椅子用テーブルによれば、車椅子用テーブルをアームレストに装着する際において、テーブルの肘置き部の下面に埋設した保持具とアームレストとを装着バンドのみで装着することができるため、特別な部品や工具を必要とせずに簡単に装着できるという効果を奏する。また、テーブルを構成する素材が発砲合成樹脂板と硬質樹脂製の保護板のみであるため、軽く安全性に優れると共に傷付き難いという効果を奏する。
【図面の簡単な説明】
【００１２】
【図１】本考案の車椅子用テーブルの一実施例の上面図である。
【図２】本考案の車椅子用テーブルの一実施例の下面図である。
【図３】図１におけるＡ−Ａ断面図である。
【図４】本考案の車椅子用テーブルの肘置き部の下面に埋設する保持具の一実施例の外形図であり、（ａ）は上面図、（ｂ）はＢ−Ｂ断面図である。
【図５】本考案の車椅子用テーブルで使用する装着バンドの一実施例の外形図である。
【図６】本考案の車椅子用テーブルをアームレストに装着した一実施例の部分断面図である。
【考案を実施するための形態】
【００１３】  本考案を実施するための形態を図を用いて説明する。図１及び図２に示すように、本考案の車椅子用テーブルは、車椅子の使用者の前面に半円状の切欠部３を設けた本体部２と左右のアームレストに架設して車椅子に設置される肘置き部４とを一体形成したテーブル１において当該テーブル１の外周面に保護ベルト８を周設し、更に該テーブル１の肘置き部４の下面において左右のアームレストとそれぞれ対向する部位に当該テーブル１とアームレストとを装着バンドにて装着するための保持具１２を少なくとも左右１対に埋設して構成する。
【００１４】  また図３に示すように、上記テーブル１は、発泡合成樹脂板５の上面と下面の両面に硬質樹脂製の保護板６を接着して構成し、更に該テーブル１の端部保護と使用者への安全性を高めるため外周面に保護ベルト８を周設する。該保護ベルト８は、その内部に空洞部１１を設けた円弧状の外端部と内部突起部９及び端部突起部１０を有したゴム又は軟質樹脂製のベルトであり、前記内部突起部９と対向する部位の発砲合成樹脂板５に削成した溝７内に前記保護ベルト８の内部突起部９を挿入して接着し、前記テーブル１の保護板６の端部の角を前記保護ベルト８の端部突起部１０で内包する。該構成によれば、テーブル１を構成する素材が発砲合成樹脂板５と硬質樹脂製の保護板６のみであるため、軽く安全性に優れると共に傷付き難くなる。
【００１５】  上記発泡合成樹脂板の厚さは２０ｍｍ〜３０ｍｍ程度の範囲が好適であり、更には２６ｍｍが最適であるが、特に限定するものではない。また保護板６の厚さは０．５ｍｍ〜１ｍｍ程度の範囲が好適であるが、これも特に限定するものではない。
【００１６】  また上記保護板６の素材はポリカーボネートやアクリル樹脂などが好適であるが、特に限定するものではない。なお該保護板６の表面にカラフルなデザインなどを配すれば装飾性に優れて好適となる。
【００１７】  また図４に示すように、上記保持具１２は、長方体状の筐体内において上面左右の開口部１４より装着バンドを出し入れし易くするための円弧状のスライド面１５を形成し、前記左右の開口部１４の中央には前記装着バンドを保持するための保持軸１３を形成して構成する。なお図４では保持軸１３の本数が２本となっているが、一本の幅広の軸などにしても構わない。
【００１８】  また図５で示す装着バンド１６は、金具１７に係着したループ状起毛部１８とカギ状起毛部１９を有したナイロン製の面ファスナーで構成されたものを示している。図６は該装着バンド１６を使用してテーブル１をアームレスト２０に装着した状態を示している。この場合、アームレスト２０の上面にテーブル１の肘置き部４の下面に埋設した保持具１２を載せ、装着バンド１６の先端を当該保持具１２の一端の開口部１４より挿入し、該保持具１２の筐体内にあるスライド面１５に沿わせて他端の開口部１４より引き出してアームレスト２０とパイプ２１に巻き、更に金具１７に挿入した後に折り返してカギ状起毛部１９をループ状起毛部１８に面着して装着した状態を示している。該方法によれば、テーブル１の肘置き部４の下面に埋設した保持具１２とアームレスト２０とを装着バンド１６のみで装着することができるため、特別な部品や工具を必要とせずに簡単に装着できる。なお前記装着バンド１６は図示したものに限定せず、同様の機能を有するものであればどのようなものを使用しても構わない。
【００１９】  なお図２では保持具１２をテーブル１の肘置き部４の下面に左右２対を埋設した状態を示しており、該２対の保持具１２はそれぞれ左右のアームレスト２０に装着してもよいが、端部の１対の保持具１２を車椅子を押すための取っ手と連通した縦方向のパイプに装着しても構わない。また保持具１２の対数は２対に限定するものではなく任意の対数で構わない。
【符号の説明】
【００２０】  １  テーブル
２  本体部
３  切欠部
４  肘置き部
５  発泡合成樹脂板
６  保護板
７  溝
８  保護ベルト
９  内部突起部
１０  端部突起部
１１  空洞部
１２  保持具
１３  保持軸
１４  開口部
１５  スライド面
１６  装着バンド
１７  金具
１８  ループ状起毛部
１９  カギ状起毛部
２０  アームレスト
２１  パイプ
【図１】
0003216373.tif 000003
【図２】
0003216373.tif 000004
【図３】
0003216373.tif 000005
【図４】
0003216373.tif 000006
【図５】
0003216373.tif 000007
【図６】
0003216373.tif 000008